(57)【要約】  本発明は、第１のシステムの第１の信号を第２のシステムの第２の信号に対して適合させるための電気モジュールに関し、この電気モジュールは：  −第１の信号（ＳI）を供給する電力供給源（１０１）；  −第１の信号を中間信号（Ｓint）に変換するよう配設されたコンバータモジュール（１０２）；  −コンバータモジュールを制御及び調節するためのマイクロコントローラ（１１１）；および  −第２のシステムの第２の信号（Ｓout）に適合した信号を出力するよう配設されたインバータモジュール（１０４）を含む。【選択図】図１
2015534440.tif 000002
【特許請求の範囲】
【請求項１】
第１のシステムの第１の信号（ＳI）を第２のシステムの第２の信号（Ｓout）に対して適合させるための電気的モジュール（１００）であって：
−前記第１の信号（ＳI）を供給する電力供給源（１０１）；
−前記第１の信号を中間信号（Ｓint）に変換するよう配設されたコンバータモジュール（１０２）；
−前記コンバータモジュールを制御及び調節するためのマイクロコントローラ（１１１）；および
−前記第２のシステムの前記第２の信号（Ｓout）に適合した信号を出力するよう配設されたインバータモジュール（１０４）
を含む、電気的モジュール（１００）において、
前記電気的モジュール（１００）は：
前記電気的モジュールは、前記第１の信号（ＳI）が連続成分及び正弦波成分を含むことができるような容量値を有する少なくとも１つの連結解除用コンデンサ（１０９）を含むこと；および
前記マイクロコントローラは、前記コンバータモジュールの調節によって、前記第１の信号の第１のリップルの間に行われる測定に対して、前記第１の信号の第２のリップルの望ましい調節値を決定できるよう配設されること
を特徴とする、電気的モジュール（１００）。
【請求項２】
前記インバータモジュール（１０４）はＨブリッジを含むことを特徴とする、請求項１に記載の電子モジュール。
【請求項３】
前記電気的モジュールは、前記インバータモジュールを制御するためのマイクロコントローラを更に含むことを特徴とする、請求項１又は２に記載の電子モジュール。
【請求項４】
前記コンバータモジュール（１０２）は、切り替え手段と直列接続された変圧器を備える、少なくとも１つの調節ユニット（１０５）を含み、
前記切り替え手段は、前記マイクロコントローラによって制御される
ことを特徴とする、請求項１〜３のいずれか１項に記載の電子モジュール。
【請求項５】
前記コンバータモジュール（１０２）は、並列に接続された少なくとも２つの前記調節ユニット（１０５、１０６、１０７、１０８）を含み、
前記調節ユニットはパルス幅変調によって制御される
ことを特徴とする、請求項４に記載の電子モジュール。
【請求項６】
第１のシステムの第１の信号（ＳI）を第２のシステムの第２の信号（Ｓout）に対して適合させるための電気的モジュール（１００）の操作方法であって、
前記電気的モジュールは：
−前記第１の信号を供給する電力供給源（１０１）；
−前記第１の信号を中間信号（Ｓint）に変換するよう配設されたコンバータモジュール（１０２）；
−前記コンバータモジュールを制御及び調節するためのマイクロコントローラ（１１１）；および
−前記第２のシステムの前記第２の信号に適合した信号を出力するよう配設されたインバータモジュール（１０４）
を含む、操作方法において、
前記操作方法は：
前記電気的モジュールは、前記第１の信号（ＳI）が連続成分及び正弦波成分を含むことができるようにする少なくとも１つの連結解除用コンデンサ（１０９）を含むこと；および
前記方法は、前記電源が前記第１の信号によって送達する電力を調節するよう構成された調節ステップを含み、前記ステップは、前記第１の信号の第１のリップルの間に電力測定を実施して、前記第１の信号の第２のリップルのための望ましい調節値を決定することからなること
を特徴とする、操作方法。
【請求項７】
前記調節ステップは：
ａ）前記第１の信号のあるリップルの間に電力測定を規則的な間隔で実施すること；
ｂ）前記電力（Ｐｍｏｙ）を平均して、平均値を第１のメモリ領域に保存すること；
ｃ）前記平均を、１つ前のリップルにおいて実施して第２のメモリ領域に保存した電力測定の平均と比較して、
−前記第１のメモリ領域の値が前記第２のメモリ領域の値より高い場合、前記第１の信号の望ましい電圧又は電流値を上昇させるための命令を送信し；
−前記第１のメモリ領域の値が前記第２のメモリ領域の値より低い場合、前記第１の信号の前記望ましい電圧又は電流値を低下させるための命令を送信し；
−あるいは前記第１の信号の前記望ましい値を変更して、前記ステップａ）を再び開始すること；および
ｄ）前記ステップａ）を再び開始すること
からなることを特徴とする、請求項６に記載の操作方法。
【請求項８】
前記調節ステップは：
Ａ）前記第１の信号（ＳI）のあるリップルの間に瞬時電力測定を規則的な間隔で実施すること；
Ｂ）前記瞬時電力測定（Ｐｉｎｓｔ）を分析し、
−前記瞬時電力が最大値を通過する場合、前記第１のメモリ領域に記憶して改善ステップを実施し；
−あるいは、前記電源が前記第１の信号によって送達する電力を上昇させること；および
Ｃ）前記ステップＡ）を再び開始すること
からなることを特徴とする、請求項６に記載の操作方法。
【請求項９】
前記改善ステップは、平均最大電力が供給される瞬間において最大電力が達成されるよう、前記望ましい電圧又は電流値を修正することからなることを特徴とする、請求項８に記載の操作方法。
【請求項１０】
前記調節ステップは：
Ａ’）前記第１の信号（ＳI）のあるリップルの間に前記瞬時電力及び電圧測定を規則的な間隔で実施すること；
Ｂ’）前記リップルの最大瞬時電力（Ｐｉｎｓｔ）を決定すること；
Ｃ’）前記最大瞬時電力から、前記最大瞬時電力を提供する前記第１の信号（ＳI）の電圧を決定すること；および
Ｄ’）前記最大瞬時電力を提供する前記第１の信号の前記電圧が、次のリップルのための望ましい値となるように、調節を調整すること
からなることを特徴とする、請求項６に記載の操作方法。
【発明の詳細な説明】
【技術分野】
【０００１】
本発明は、第１のシステムの第１の信号を第２のシステムの第２の信号に対して適合させるための電気モジュールに関し、この電気モジュールは：
−リップルを有する連続信号である第１の信号を送達する電力供給源を接続できるよう配設された、入力；
−供給電圧を連続成分及び整流正弦波成分で形成された中間信号に変換するよう配設された、コンバータモジュール；
−第２のシステムの第２の信号に適合した信号を出力するよう配設された、インバータモジュール
を含む。
【背景技術】
【０００２】
信号を配電網に適合させるための公知の電気的システムが存在する。これらの電気的システムの一例としては、連続信号を送達するソーラパネル等の電力供給源があり、上記電源の出力は、連続成分及び正弦波成分を含む信号を送達するコンバータモジュールに接続される。この信号はインバータモジュールに送信され、インバータモジュールはこの信号を配電網適合性信号（この場合は正弦波信号）に変換する。
【０００３】
現行のシステムでは、電源とコンバータモジュールとの間に連結解除デバイスが設置される。この連結解除手段は高容量コンデンサであってよい。この連結解除手段は、コンバータモジュールから又はインバータモジュールからの干渉信号が電源内に伝播するのを防止する。実際には、容量コンデンサのインピーダンスモジュールは
【０００４】
【数１】
2015534440.tif 000003
【０００５】
の形状である（ここでω＝２πｆである）。従って周波数が高くなるほどインピーダンス（逆関数）は低下し、これにより、特に干渉信号の周波数が高い場合に、干渉信号の振幅を制限できる。電気エネルギを供給するためにソーラパネルを使用する電気的システムは、出力信号が５０Ｈｚである場合、低周波数で動作する。従って高容量コンデンサを使用しなければならない。
【０００６】
しかしながら、この高容量コンデンサは、大型で高価であるという欠点を有する。実際には、コンデンサの価格及びサイズは、容量値及び使用される技術によって変化する。連結解除用コンデンサに関しては、約５００００μＦが一般的な値である。この値はまた、そのコンデンサを備えるシステムにも左右される。上記値は特定のコンデンサ技術及びコンデンササイズを必要とし、このサイズは上記コンデンサの容量値に関係する。連結解除用コンデンサとしては、電解コンデンサが使用される。
【発明の概要】
【発明が解決しようとする課題】
【０００７】
本発明の目的は、第１のシステムの第１の信号を第２のシステムの第２の信号に適合させるための、性能／コスト比が可能な限り最も競争力のある、即ち製造コストを抑えながら高い性能を発揮する電子システムを提供することを提案することにより、従来技術の欠点を克服することである。
【課題を解決するための手段】
【０００８】
従って本発明は、第１のシステムの第１の信号を第２のシステムの第２の信号に対して適合させるための電気的モジュールに関し、この電気的モジュールは：
−第１の信号を供給する電力供給源；
−第１の信号を中間信号に変換するよう配設されたコンバータモジュール；
−コンバータモジュールを制御及び調節するためのマイクロコントローラ；および
−第２のシステムの第２の信号に適合した信号を出力するよう配設されたインバータモジュール
を含み、上記電気的モジュールは：上記電気的モジュールが、第１の信号が連続成分及び正弦波成分を含むことができるような容量値を有する少なくとも１つの連結解除用コンデンサを含むこと；並びにマイクロコントローラが、コンバータモジュールの調節によって、第１の信号の第１のリップルの間に行われる測定に対して、第１の信号の第２のリップルの望ましい調節値を決定できるよう配設されることを特徴とする。
【０００９】
第１の有利な実施形態では、上記インバータモジュールはＨブリッジを含む。
【００１０】
第２の有利な実施形態では、上記電気的モジュールは、上記インバータモジュールを制御するためのマイクロコントローラを更に含む。
【００１１】
第３の有利な実施形態では、コンバータモジュールは、上記マイクロコントローラによって制御される切り替え手段と直列接続された変圧器を備える、少なくとも１つの調節ユニットを含む。
【００１２】
第４の有利な実施形態では、上記コンバータモジュールは並列に接続された少なくとも２つの調節ユニットを含み、これら調節ユニットはパルス幅変調によって制御される。
【００１３】
本発明はまた、第１のシステムの第１の信号を第２のシステムの第２の信号に対して適合させるための電気的モジュールの操作方法に関し、上記電気的モジュールは：
−第１の信号を供給する電力供給源；
−第１の信号を中間信号に変換するよう配設されたコンバータモジュール；
−コンバータモジュールを制御及び調節するためのマイクロコントローラ；および
−第２のシステムの第２の信号に適合した信号を出力するよう配設されたインバータモジュール
を含み、この方法は：上記電気的モジュールが、第１の信号が連続成分及び正弦波成分を含むことができるようにする少なくとも１つの連結解除用コンデンサを含むこと；並びに上記方法が、電源が第１の信号によって送達する電力を調節するよう構成された調節ステップを含み、上記ステップは、第１の信号の第１のリップルの間に電力測定を実施して、第１の信号の第２のリップルのための望ましい調節値を決定することからなることを特徴とする。
【００１４】
第１の有利な実施形態では、調節ステップは：
ａ）第１の信号のあるリップルの間に電力測定を規則的な間隔で実施すること；
ｂ）電力を平均して、この値を第１のメモリ領域に保存すること；
ｃ）上記平均を、１つ前のリップルにおいて実施して第２のメモリ領域に保存した電力測定の平均と比較して、
−第１のメモリ領域の値が第２のメモリ領域の値より高い場合、第１の信号の望ましい電圧又は電流値を上昇させて電力を上昇させるための命令を送信し；
−第１のメモリ領域の値が第２のメモリ領域の値より低い場合、第１の信号の望ましい電圧又は電流値を低下させて電力を低下させるための命令を送信し；
−あるいは第１の信号の望ましい電圧又は電流値を変更して、ステップａ）を再び開始すること；及び
ｄ）ステップａ）を再び開始すること
からなる。
【００１５】
第２の有利な変形例では、調節ステップは：
Ａ）第１の信号のあるリップルの間に瞬時電力測定を規則的な間隔で実施すること；
Ｂ）これら瞬時電力測定を分析し、
−瞬時電力が最大値を通過する場合、第１のメモリ領域に記憶して改善ステップを実施し；
−あるいは、上記望ましい電圧又は電流値を上昇させることによって、電源が第１の信号によって送達する電力を上昇させること；及び
Ｃ）ステップＡ）を再び開始すること
からなる。
【００１６】
第３の有利な実施形態では、上記改善ステップは、リップルの中央において又は平均最大電力が供給される瞬間において最大電力が達成されるよう、望ましい電圧又は電流値を修正することからなる。
【００１７】
別の有利な実施形態では、調節ステップは：
Ａ’）第１の信号のあるリップルの間に瞬時電力及び電圧測定を規則的な間隔で実施すること；
Ｂ’）上記リップルの最大瞬時電力を決定すること；
Ｃ’）この最大瞬時電力から、上記最大瞬時電力を提供する第１の信号の電圧を決定すること；
Ｄ’）上記最大瞬時電力を提供する第１の信号の電圧が、次のリップルのための望ましい値となるように、調節を調整すること
からなる。
【００１８】
本発明による電子モジュール及び方法の目的、利点、特徴は、単なる非限定的な例として挙げられている、添付の図面に図示された本発明の少なくとも１つの実施形態に関する以下の詳細な説明において、より明らかになるであろう。
【図面の簡単な説明】
【００１９】
【図１】図１は、本発明による電子モジュールの概略図である。
【図２】図２は、本発明の変形例の概略図である。
【図３】図３は、本発明の第１の実施形態の電子モジュールの電圧の概略的なグラフである。
【図４】図４は、本発明の第２の実施形態の電子モジュールの電圧の概略的なグラフである。
【図５】図５は、本発明の変形例の概略図である。
【図６】図６は、本発明による電子モジュールの概略図である。
【図７】図７は、第２の実施形態の変形例のグラフである。
【発明を実施するための形態】
【００２０】
図１は本発明による電子システムを示す。この電子システムは、第１のシステムの第１の信号ＳIを第２のシステムの第２の信号Ｓoutに対して適合させるための電気的モジュール１００であり、第１のシステムは、ＳIと呼ばれる電力信号を供給する電源又はエネルギ源又は電力供給源１０１であってよい。例えばこの電源は、１つ若しくは複数のソーラパネル、又は１つ若しくは複数の風車、又は１つ若しくは複数のバッテリ若しくはその他の要素であってよい。第２のシステムは例えば家庭用配電網であり、即ち正弦波電圧である。
【００２１】
電源の出力における電力信号ＳIは、コンバータモジュール１０２に入る。コンバータモジュール１０２は、少なくとも１つの調節ユニット１０５を含む。図２に示す変形例では、コンバータモジュール１０２が、並列に設置された複数の調節ユニット１０６、１０７、１０８を含むことも考えられる。
【００２２】
調節ユニットは、切り替え手段Ｃ１と直列の変圧器Ｔ１を含む。調節ユニット１０５は更に、切り替え手段Ｃ１と直列に接続された電流測定手段Ｉ１を含む。変圧器Ｔ１、切り替え手段Ｃ１及び電流測定手段Ｉ１は、電源１０１に並列に接続される。調節ユニット１０５は、中間信号Ｓintを送達するために変圧器Ｔ１の出力に接続された整流器Ｒ１も含む。よって調節ユニット１０５は固有の整流器を含むことが明らかである。コンバータモジュール１０２は更に、マイクロコントローラ１１１を含む。このマイクロコントローラ１１１は、調節ユニット１０５を制御するため及び上記ユニットを調節するために使用される。
【００２３】
コンバータモジュール１０２が並列又は直列又は並列と直列との組み合わせで接続された複数の調節ユニット１０５、１０６、１０７、１０８を含む図５の場合、マイクロコントローラ１１１は、パルス幅変調を用いて各調節ユニット１０５、１０６、１０７、１０８を制御する。この場合マイクロコントローラ１１１は、全ての調節ユニットを制御する。並列又は直列の複数の電源１０１が存在する場合、調節ユニットの制御は各ユニットに対して、又は調節ユニットの組それぞれに対して、別個に実施してよい。
【００２４】
中間信号Ｓintはインバータモジュール１０３に送信される。この中間信号Ｓintは、半正弦波又は整流正弦波信号の形態を取り、即ち正弦波部分は全て正である。
【００２５】
インバータモジュール１０３は、Ｈブリッジ回路１０４を含む。このタイプの回路は、Ｈ字型に配設された複数のスイッチの形態を取る。よって上記Ｈブリッジは、それぞれ２つの直列接続されたスイッチで形成された２つの平行な分岐を含むことが明らかである。Ｈブリッジ１０４は、上記２つの平行な分岐を接続する中央の分岐に現れる負荷に給電する。この中央の分岐は各分岐に、２つのスイッチの間の接点において接続される。
【００２６】
このブリッジは、負荷電圧の極性が周期的に変化するよう制御でき、これによってこのブリッジをインバータとすることができる。マイクロコントローラ１１１は、制御信号をＨブリッジのスイッチに送信してインバータ機能を得るよう配設される。配電網に適合した信号、即ち周波数５０Ｈｚの正弦波信号である出力信号Ｓoutを出力することが目的である。
【００２７】
このように、図１に示す理想的な形態では、電源とコンバータモジュールとは互いに対して直接接続され、インバータモジュールが生成する信号が電力供給源１０１へと伝播するのを防ぐように配設されるデバイスは存在しない。
【００２８】
本発明によると有利には、性能／コスト比が最適化される。これを達成するために、本発明による電子システム１００は、図６に示すように少なくとも１つの連結解除用コンデンサ１０９を含む。この連結解除用コンデンサ１０９は、第１の信号即ち電力信号Ｓ1が連続成分及び正弦波成分を含むことができるような値を有する。連結解除用コンデンサ１０９の値は可能な限り低いが、電力信号Ｓ1が連続成分及び正弦波成分を含むことができる程度に十分なものである。
【００２９】
連結解除用コンデンサ１０９の存在により、信号Ｓ1にリップルを与え、高周波数の高調波をアースへと除去して、連結解除用コンデンサ１０９が配設されている回路の電磁イミュニティを、コストを制限したまま向上させることができる。このコンデンサ１０９が存在するだけで高調波フィルタリング機能が得られ、またその低い容量値により、単純かつ安価な技術を利用できる。
【００３０】
例えば電力１００Ｗ、電圧１２Ｖの本発明による電子システムには、１００００μＦの連結解除用コンデンサが使用される。
【００３１】
電力信号Ｓ1は、第２のシステムの２倍の周波数を有することが分かる。例えば第２のシステムが５０Ｈｚで動作する配電網である場合、電力信号Ｓ1の周波数は１００Ｈｚとなる。実際には、第２のシステムの信号Ｓoutは正弦波であり、即ちこの信号Ｓoutは１周期に１つの正のリップル及び１つの負のリップルを有する。中間信号Ｓintは整流波形を有するため、正のリップルのみを有する。その結果周波数は逓倍される。
【００３２】
この電子システムの構成は、マイクロインバータの動作を管理するための特定の方法を使用できる。この方法は、最大電力点の調節及び探索が電子システム１００の出力信号Ｓoutと同期するよう構成される。
【００３３】
図３に示す第１の実施形態によると、最大電力点Ｐｍａの探索は、電力信号ＳIの周波数に基づく周波数を有するように構成される。これを達成するために、コンバータモジュール１０２及びマイクロコントローラ１１１は、第１の半波に亘って電力信号ＳIの一連の電圧及び電流測定を実施できるように配設される。これらの電圧及び電流信号により電力を算出でき、続いて平均電力Ｐｍｏｙを算出できる。この平均電力値Ｐｍｏｙは第１のバッファメモリに保存される。
【００３４】
一番初めのリップルの後、電力の変化はマイクロコントローラ１１１によって送信される。この電力変化のために望ましい値又は命令により、調節が開始される。好ましくは上昇した電力を必要とする望ましい値が送信される。この電力上昇は、電源の電流又は出力電圧を変化させることによって発生し得る。上述の電子システム１００の場合、電力の変化は電流の改変によって発生する。これを達成するために、マイクロコントローラ１１１はパルス幅変調パラメータに作用する。実際には、パルス幅変調により、調節ユニット１０５に多少の電流を流すことができる。
【００３５】
従って電力を上昇させるために、マイクロコントローラ１１１はデューティ比を上昇させることによって調整する。デューティ比が高くなるため、より多くの電流が調節ユニット１０５を通過する。デューティ比の上昇は事前に定義されていてもよく、又はユーザが定義してもよい。
【００３６】
続いて次の半波に対して同一の操作を実施する。即ち電力信号ＳIの電圧及び電流測定を実施し、平均電力Ｐｍｏｙを算出して第２のバッファメモリに保存する。この平均電力Ｐｍｏｙを算出したら、この測定値と、上記第１の半波に関する測定値とを比較する。
【００３７】
第１の半波の平均が第２の半波の平均より低い場合、マイクロコントローラ１１１は、最大電力が達成されていないことを把握する。その結果マイクロコントローラ１１１は、電源１０１が送達する電流を通して、電力を上昇させるための命令又は望ましい値を送信する。第１のバッファメモリの値は消去され、第２のバッファメモリの値が第１のバッファメモリに移される。
【００３８】
次の半波の間にも、電力信号ＳIの、従って電力の電圧及び電流の測定を実施して、平均電力値Ｐｍｏｙを算出する。この平均値は第２のバッファメモリに保存され、比較ステップが実施される。
【００３９】
第１の半波の平均が第２の半波の平均より高い場合、マイクロコントローラ１１１は、電力信号ＳIが送達する電流が高過ぎ、最大電力点を超過していることを把握する。次にマイクロコントローラ１１１は、電源１０１の出力電流を低下させるための望ましい値を送信する。次の半波の間に新たな一連の測定を実施して、平均を算出する。この平均電力Ｐｍｏｙを、１つ前の半波等の平均電力と比較する。電圧の変化を用いて望ましい電力変化値を達成することも当然考えられる。
【００４０】
要約すると、調節ステップは：
ａ）第１の信号のあるリップルの間に電力測定を規則的な間隔で実施すること；
ｂ）電力を平均して、この値を第１のメモリ領域に保存すること；
ｃ）上記平均を、１つ前のリップルにおいて実施して第２のメモリ領域に保存した電力測定の平均と比較して、
−第１のメモリ領域の値が第２のメモリ領域の値より高い場合、第１の信号の望ましい電圧又は電流の値を上昇させて電力を上昇させるための命令を送信し；
−第１のメモリ領域の値が第２のメモリ領域の値より低い場合、第１の信号の望ましい電圧又は電流の値を低下させて電力を低下させるための命令を送信し；
−あるいは第１の信号の望ましい電圧又は電流の値を変更して、ステップａ）を再び開始すること；及び
ｄ）ステップａ）を再び開始すること
からなる。
【００４１】
図４に示す第２の実施形態では、コンバータモジュールの調節は、望ましい値の変化を１つのリップル又は周期全体に亘って算出するよう構成される。その結果システムの動作に応じてコンバータモジュールの調節が変化する。
【００４２】
実際には、システムの開始時、即ち図４の領域２では電力はゼロであるが、システムが定常状態となると、送達される電力は理論的に一定である。それにも関わらず調節は同一の様式で行われる。
【００４３】
これは、電源の出力信号又は電力信号ＳIが正弦波成分又はリップル成分を有するという事実を用いて達成される。この電圧の変化又はリップルは、瞬時電力の変化を伴い、これは即ち、各リップルによって、平均電力である中点の周りで瞬時電力が変化すること、及びこの瞬時電力を測定できることを意味する。
【００４４】
開始段階の間、望ましい電力値は、電源が送達する電力の上昇を必要とする。各リップルによって、瞬時電力を規則的な間隔で測定する。電力が上昇中であることが測定された場合、マイクロコントローラは最大電力値に到達していないと判断して、最も高い電力測定点を保存する。電圧を改変することによる電力の上昇に必要な望ましい値はこのようにして維持され、過去の最も高い電力測定点に適用される。
【００４５】
あるリップルの間に、瞬時電力が上昇した後低下すること、即ち領域１が測定された場合、これは最大電力点に到達したことを意味しており、この場合マイクロコントローラは監視段階に移行する。この段階では各リップルの瞬時電力を測定する。これら測定値を先行するリップルの測定値と比較し、電力変化が小さい場合は電力上昇又は低下命令を送信しない。
【００４６】
電源出力信号を改善することを意図したステップを想定できる。実際には、最大電力点に到達したという事実は、電源出力信号ＳIが完璧なものであることを意味しない。信号は非平衡とすることができる。実際には、電源出力信号ＳIの制御は、最大電力点に２回到達するように実施される。この最大電力点には、リップルの始点及び終点又はリップルの中間に到達できる。電力点を最大化して、そのリップルの間の平均電力を可能な限り高くする。従ってこの改善ステップは、平均最大電力が提供される瞬間に最大電力Ｐｍａに到達するように、望ましい電圧又は電流値を改変することからなる。
【００４７】
更に、電力測定を実施することからなるステップにより、電力分布及びこれに伴って最大電力点の位置を知ることができる。これを知ることで、最大電力点が理想的に位置する電源出力信号ＳIを得るために電源出力信号ＳIの制御を改変するのがより容易になる。
【００４８】
要約すると、この第２の実施形態では、調節ステップは：
Ａ）第１の信号のあるリップルの間に瞬時電力測定を規則的な間隔で実施すること；
Ｂ）これら瞬時電力測定を分析し、
−瞬時電力が最大値を通過する場合、第１のメモリ領域に記憶して改善ステップを実施し；
−あるいは、上記望ましい電圧又は電流値を上昇させることによって、電源が第１の信号によって送達する電力を上昇させること；及び
Ｃ）ステップＡ）を再び開始すること
からなる。
【００４９】
この第２の実施形態の図７に示す変形例では、マイクロコントローラ１１１は、各リップル又は周期において第１の信号ＳIの瞬時電力Ｐｉｎｓｔ及び電圧を規則的な間隔で測定するように構成される。例えば１００Ｈｚの、即ち周期が０．０１秒の電力信号ＳIに関して、１周期あたり１００回の、つまり０．０００１秒の間隔での瞬時電力測定を実施するマイクロコントローラ１１１を有することができる。
【００５０】
第１の周期Ｔ１について、望ましい供給電圧値はＶ０であり、マイクロコントローラ１１１は第１の信号ＳIの瞬時電力Ｐｉｎｓｔ及び供給電圧を測定する。信号ＳIの瞬時電力Ｐｉｎｓｔ及び供給電圧それぞれの測定値を保存する。マイクロコントローラ１１１は最大瞬時電力Ｐｉｎｓｔ１を検出する。この最大瞬時電力Ｐｉｎｓｔ１をメモリのバッファ領域に保存する。
【００５１】
マイクロコントローラ１１１は、最大瞬時電力Ｐｉｎｓｔ１から、そのリップルの間に検出される上記最大瞬時電力Ｐｉｎｓｔ１が最も高くなる供給電圧Ｖ１を識別するよう構成される。この供給電圧Ｖ１が得られたら、マイクロコントローラ１１１はこれを次の周期のための望ましい値として使用する。実際にはマイクロコントローラ１１１は電力測定と並行して供給電圧測定を実施するため、マイクロコントローラ１１１は最大瞬時電力Ｐｉｎｓｔ１との関連で供給電圧を容易に得ることができる。
【００５２】
次の周期Ｔ２では、電力信号Ｓ1の望ましい値として電圧Ｖ１が使用される。瞬時電力Ｐｉｎｓｔを測定して、最大瞬時電力Ｐｉｎｓｔ２を得る。マイクロコントローラ１１１はこの電力Ｐｉｎｓｔ２を用いて、次の周期Ｔ３のために使用される望ましい値Ｖ２を決定する。
【００５３】
要約すると、調節ステップは：  
Ａ’）第１の信号（ＳI）のあるリップルの間に瞬時電力及び電圧測定を規則的な間隔で実施すること；
Ｂ’）上記リップルの最大瞬時電力（Ｐｉｎｓｔ）を決定すること；
Ｃ’）この最大瞬時電力から、上記最大瞬時電力を提供する第１の信号（ＳI）の電圧を決定すること；そして
Ｄ’）上記最大瞬時電力を提供する第１の信号の電圧が、次のリップルのための望ましい値となるように、調節を調整すること
からなる。
【００５４】
次の周期のために適用される望ましい値を、このように瞬時電力を使用して決定することは、独立した調節を提供し、即ちこれは事前に定義された望ましい値を必要としない。
【００５５】
添付の請求項から逸脱することなく、上述した本発明の様々な実施形態に対して、当業者に明らかな様々な変更及び／又は改良及び／又は組み合わせを実施できることは明らかであろう。
【図１】
2015534440.tif 000004
【図２】
2015534440.tif 000005
【図３】
2015534440.tif 000006
【図４】
2015534440.tif 000007
【図５】
2015534440.tif 000008
【図６】
2015534440.tif 000009
【図７】
2015534440.tif 000010
【国際調査報告】
2015534440.tif 000011
2015534440.tif 000012
2015534440.tif 000013
2015534440.tif 000014
2015534440.tif 000015
2015534440.tif 000016
2015534440.tif 000017
2015534440.tif 000018